(57)【特許請求の範囲】
【請求項１】
遊技盤に取り付けるための取付板と、
上記取付板に回転自在に軸着されると共に、球を１個宛に受入可能な第１球受凹部及び球を１個宛に受入可能な第２球受凹部を有する回転体と、
上記回転体を制御手段の制御下に回転駆動する駆動源と、
上記回転体の周囲に設けた囲繞壁と、
上記回転体の各球受凹部へ遊技盤を流下する球を取り込むための上記囲繞壁に開設した球の直径よりも若干幅広な１つの球入口と、
上記回転体の第２球受凹部に取り込んだ球を遊技盤へ排出する上記囲繞壁に開設した１つの球出口と、
上記取付板に開設され上記回転体の第１球受凹部に取り込んだ球を検出スイッチが臨む球連絡路へ排出する入賞球口と、を少なくとも備え、
上記第１球受凹部と第２球受凹部とは上記回転体の側周部に互いに近接して開設してあり、上記入賞球口は上記取付板において上記囲繞壁に開設した球入口と球出口との間に開設され、制御手段によって回転体の回転方向を正逆に変更して入賞球口へ入球する球の入賞率を可変させるパチンコ機の入賞装置。
【請求項２】
制御手段によって回転体の回転速度を増減して入賞率を可変させる請求項１記載のパチンコ機の入賞装置。
【発明の詳細な説明】
【０００１】
【産業上の利用分野】
この発明は、パチンコ機の入賞装置に関し、特に、予め定めた特定条件の成立に関連して利用されるパチンコ機の入賞装置に関するものである。
【０００２】
【従来の技術】
遊技者に不利な第１状態と遊技者に有利な第２状態とに変換可能な変動入賞装置を備えるパチンコ機において、上記変動入賞装置を変換させる特定条件の成立に関連する入賞装置が種々開発されている。例えば、特開平４−２９５３８６号公報に記載されるパチンコ機では、予め定めた遊技状態となったときに開放される電動入賞装置の下方に、特別装置作動領域を含む複数の通過領域の何れかに振分誘導する特別入賞装置を設け、上記電動入賞装置を、開放後一定時間が経過するか、又は通過領域の数以上の予め定められた規定数に達したときに閉鎖するようにして、特別装置作動領域の入賞率を高めている。また、上記パチンコ機には、一つの球受入凹部を有する回転円盤を備える始動入賞口装置が設けてある。一方、実開平１−１２６２８８号公報には、特別装置作動領域を含む複数の通過領域を有する回転部材を正逆回転させることによって、当該特別装置作動領域の入賞率が変化するように構成した入賞装置が記載されている。
【０００３】
【発明が解決しようとする課題】
そして、特定条件成立に関連する入賞装置の入賞率は、一般に、遊技球の入り易さ、即ち当該入賞装置の入賞口の大きさないし形態に依存して決定され、入賞口を開放して大きくすることにより入賞率を高めるものである。従って、各パチンコ機における差異が少なく、遊技者に飽きられているのが現状である。
本発明は上記に鑑み提案されたもので、入賞口の大きさないし形態を変化させることなく、入賞率を変更可能なパチンコ機の入賞装置を提供することを目的とする。
【０００４】
【課題を解決するための手段】
上記目的を達成するため本発明は、遊技盤に取り付けるための取付板と、上記取付板に回転自在に軸着されると共に、球を１個宛に受入可能な第１球受凹部及び球を１個宛に受入可能な第２球受凹部を有する回転体と、上記回転体を制御手段の制御下に回転駆動する駆動源と、上記回転体の周囲に設けた囲繞壁と、上記回転体の各球受凹部へ遊技盤を流下する球を取り込むための上記囲繞壁に開設した球の直径よりも若干幅広な１つの球入口と、上記回転体の第２球受凹部に取り込んだ球を遊技盤へ排出する上記囲繞壁に開設した１つの球出口と、上記取付板に開設され上記回転体の第１球受凹部に取り込んだ球を検出スイッチが臨む球連絡路へ排出する入賞球口と、を少なくとも備え、上記第１球受凹部と第２球受凹部とは上記回転体の側周部に互いに近接して開設してあり、上記入賞球口は上記取付板において上記囲繞壁に開設した球入口と球出口との間に開設され、制御手段によって回転体の回転方向を正逆に変更して入賞球口へ入球する球の入賞率を可変させるようにしたものである。
【０００５】
【作用】
複数の球受凹部を有する回転体を備える入賞装置において、上記回転体を制御手段によって回転制御することによって、当該入賞装置に対する入賞率を形態の変化を伴うことなく可変する。
【０００６】
【実施例】
以下、本発明を図面の実施例について説明すると、図１は本発明に係る入賞装置１を配設したパチンコ機の遊技盤２の正面図である。この遊技盤２の表面には、ガイドレール３で囲まれた遊技部４を形成し、該遊技部４のほゞ中央にセンター役物５を配設すると共に、所定の位置に種々の入賞装置或は入賞具６…及び風車７…等を配設し、更に適宜位置には障害釘８が設けてある。
【０００７】
即ち、図示の遊技盤２では上記センター役物５に向かって左側に、本発明に係る入賞装置１を配設し、該入賞装置１の下方に、遊技者に不利な第１状態と遊技者に有利な第２状態とに変換可能な変動入賞装置９を配設する。また、センター役物５の下方には、特定入賞口１０を備える普通電動役物１１を配設し、該普通電動役物１１の左右にポケット状の入賞具６ｃ，６ｅを配設する。そして、向かって左側の入賞具６ｅを後述する始動入賞口に設定し、右側の入賞具６ｃを右落し入賞口に設定する。
【０００８】
また、上記センター役物５と普通電動役物１１との間には、センター下入賞口となる入賞具６ｄを配設する。更に、上記変動入賞装置９とほゞ対称な位置には、右袖入賞口となる入賞具６ａを配設し、該右袖入賞口６ａのほゞ上方に右肩入賞口となる入賞具６ｂを配設する。そして、遊技部４の最下位置には、何れの入賞口にも入賞しなかった球が流入するアウト口１２を設ける。
【０００９】
本発明に係る入賞装置１は、図２ないし図３に示すように、取付板２０の前面側にモータ２１を駆動源とする円筒状の回転体２２を軸着し、この回転体２２の側周面に球一個を受入可能な断面ほゞＵ字形の第１球受凹部２３及び第２球受凹部２４を設ける。また、上記回転体２２の周囲には囲繞壁２５を設け、上部に球の直径より若干幅広な球入口２６（球径１１ｍｍに対して例えば開口幅１２ｍｍ）を開設すると共に、側部に開口幅、例えば１７．５ｍｍの球出口２７を開設する。
【００１０】
上記第１球受凹部２３及び第２球受凹部２４は、回転体２２の側周部に互いに近接して開設してあり、第１球受凹部２３の底部には球を後方へ誘導する誘導リブ２８が設けてあり、第２球受凹部２４の後縁には球を当該凹部内に保持する係止リブ２９が設けてある。また、第１球受凹部２３と第２球受凹部２４との開設方向は異っており、第１球受凹部２３は、回転体２２が回転して囲繞壁２５の球出口２７と第１球受凹部２３が連通しても、当該第１球受凹部２３に流入した球が球出口２７から遊技盤２の表面に流出しない方向に開口してあるが、第２球受凹部２４は、回転体２２が回転して球出口２７と第２球受凹部２４とが連通すると、当該第２球受凹部２４に流入した球が上記球出口２７から遊技部４へ流出するようになっている。
【００１１】
そして、上記取付板２０には、回転体２２の第１球受凹部２３と連通可能な入賞球口３０を、囲繞壁２５の球入口２６と球出口２７との間に位置するように開設する。また、上記取付板２０の裏面側にはガイド壁３１を設けると共にカバー体３２を止着して、上記入賞球口３０に連通する球連絡路３３を形成し、この球連絡路３３には検出スイッチ３４を臨ませる。尚、上記カバー体３２にはモータ取付ガイド壁３５を設け、このモータ取付ガイド壁３５を介して駆動源としてのモータ２１が取り付けてある。尚、上記モータ２１は、正逆回転自在なステッピングモータがよい。
【００１２】
また、図示していないが、上記回転体２２の位置を検出するための位置検出手段を設ける。この位置検出手段は、例えば、回転体２２に埋設した磁石と、取付板２０に設けたホールＩＣによって構成することができるし、光センサ等でもよい。
【００１３】
上記のような構成の入賞装置１において、回転体２２が図４の矢視Ｐ方向に回転しているときに、遊技部４を流下する球が囲繞壁２５の球入口２６から第１球受凹部２３に流入すると、球出口２７から排出されることなく、入賞球口３０まで移送されて球連絡路３３へ取り込まれ、球連絡路３３を流下して検出スイッチ３４に作用する。また、第２球受凹部２４に流入した球は、球出口２７から遊技部４へ排出される。そして、回転体２２が図４の矢視Ｐ方向に回転しているときは、図４の（ａ）の状態から（ｂ）の状態までが第１球受凹部２３に入球して入賞可能なタイミング（当りの範囲）であり、（ｂ）の状態から（ａ）の状態までが第２球受凹部２４へ入球して外れのタイミング（外れの範囲）になる。
【００１４】
一方、回転体２２の回転方向が図４の矢視Ｑ方向のときでも、各球受凹部から排出される位置は同じである。即ち、回転体２２が矢視Ｑ方向に回転しているときに、第１球受凹部２３に流入した球は、直ぐに入賞球口３０から球連絡路３３に取り込まれる。また、第２球受凹部２４に流入した球は、入賞球口３０から取り込まれることなく通過して、球出口２７まで移送され、この球出口２７から遊技部４へ排出される。そして、この回転方向では、（ｃ）の状態から（ｄ）状態までが入賞可能なタイミングであり、（ｄ）の状態から（ｃ）状態までが外れのタイミングである。
【００１５】
そこで、回転体２２の回転速度を増減すると入賞可能なタイミングが変化する。また、回転速度が同じでも、回転方向によって入賞可能なタイミングが増減し、入賞率が変化する。更に、回転速度と回転方向を同時に変化させると、入賞率の変化量が更に増大する。
【００１６】
上記構成の入賞装置１は、例えば図６に示すようなフローチャートに従って制御することができる。即ち、先ず、回転体２２に設けた位置検出手段によって当該回転体２２の初期位置を決定する。例えば、回転体２２或はモータ軸に設けたモータスイッチが図５の（ａ）の状態（外れの範囲が終った状態）でオンするように設定しておく。
【００１７】
そして、モータ（Ａ）処理では、ステップ（以下、単にＳと略す）１で、後述するカウンタ（ＭＴＣＮＴ）を減算し、Ｓ２で上記ＭＴＣＮＴが「０」か否かを判別する。ＭＴＣＮＴが「０」でないときは、Ｓ３へ進んで権利中（特別装置が作動中）か否かを判別する。一方、Ｓ２でＭＴＣＮＴが「０」のときは、Ｓ４へ進んで権利中か否かを判別する。
【００１８】
Ｓ３で権利中のときは、Ｓ５で速度１データ（例えば２ｒｐｍ）をロードする。また、Ｓ３で権利中でないときは、Ｓ６で速度２データ（例えば５ｒｐｍ）をロードする。一方、Ｓ４で権利中のときは、Ｓ６で速度２データ（５ｒｐｍ）をロードし、Ｓ４で権利中でないときは、Ｓ５で速度１データ（２ｒｐｍ）をロードする。
【００１９】
そして、Ｓ７では、モータデータをセットして駆動し、Ｓ８でモータスイッチのオンオフを判別する。このＳ８で、モータスイッチがオンしているとき、即ち図５において（ａ）の状態ならば、Ｓ９に進んでＭＴＣＮＴに角度データ（当りの範囲）をセットした後に復帰する。一方、Ｓ８でモータスイッチがオンしていないときは直接復帰する。
【００２０】
上記のような制御によれば、権利中で、且つ図５の（ａ）から（ｂ）迄、即ちＭＴＣＮＴが「０」でないときは、速度１データに基づいて２ｒｐｍで回転し、図５の（ｂ）から（ａ）迄のＭＴＣＮＴが「０」のときは高速な速度データ２に基づいて５ｒｐｍで回転する。従って、第１球受凹部２３に入球する確率が高い。そこで、例えば始動スイッチに設定した検出スイッチ３４がオンして、大入賞口が開放する確率が高くなる。
【００２１】
一方、通常の状態では、図５の（ｂ）から（ａ）までは速度１データに基づく２ｒｐｍで回転し、（ａ）から（ｂ）までは速度２データに基づく５ｒｐｍで回転する。従って、第１球受凹部２３に入球する確率が低く、大入賞口が開放する確率が低くなる。
【００２２】
図７に示すフローチャートは、回転体２２の他の制御系を示し、この回転体２２には位置検出手段であるモータスイッチが設けて無い。この制御系は、Ｓ１において権利中か否かを判別し、権利中ならばＳ２で逆転速度データ１（５ｒｐｍ）をロードし、権利中でないならばＳ３で正転速度データ２（３０ｒｐｍ）をロードする。そして、Ｓ４でモータデータをセットして駆動する。
【００２３】
このような制御系によれば、入賞率を変化させることができるばかりではなく、遊技者による狙い撃ちを防止することができる。尚、上記実施例で常態のときの単位時間あたりの回転数を権利中のときの単位時間あたりの回転数よりも高くしてある。これは、本来ならば、常態中の単位時間あたりの回転数を落して入賞率を低下させたいとこ口であるが、権利中は、第１球受凹部２３が球入口２６に近付くときに集中的に打球が発射されるので、一回転当りの入賞率がアップして遊技店側が不利益となるのを防止するためである。
【００２４】
次に、上記のような構成の入賞装置１を用いたパチンコ機の一例を遊技に沿って簡単に説明する。図１に示す遊技盤２を備えるパチンコ機は、所謂第３種パチンコ機に属するものであって、権利状態のときに、始動入賞口４０に入賞すると、規制された所定時間又は所定個数入賞するまでを１サイクルとして、規制された範囲内で大入賞口４１である変動入賞装置９を遊技者に有利な第２状態に変換することができる。
【００２５】
遊技盤２のほゞ中央に配設されたセンター役物５は、天入賞口４２及び天下入賞口４３を備え、上記天下入賞口４３は普通図柄表示装置作動ゲート４４が臨む凹室４５へ連通する。尚、上記天下入賞口４３へは、障害釘８が途切れる向って左側から入球する。上記凹室４５には、当該凹室４５へ流入した球を普通図柄表示装置作動ゲート４４と一般入賞口とに振り分ける回転振分板４６が人形を模して形成される。また、このセンター役物５の前面側には、普通図柄表示装置４７が横方向に配設されたＬＥＤによって形成され、例えば、「１」から「８」迄の図柄を可視表示する。尚、この図柄は後述する識別情報となる。
【００２６】
大入賞口４１を構成する変動入賞装置９は、一対の可動翼片４８と大入賞口ソレノイド４９を備え、可動翼片４８を閉じて球が入賞できずに遊技者に不利な第１状態と、可動翼片４８を開放して球が入賞し易く遊技者に有利な第２状態とに変換可能である。
【００２７】
電源の投入によって、遊技中の動作に対応して各表示灯等によりその時の状態を表示すると共に、効果音によって遊技者に知らせる。また、入賞装置１の回転体２２が右回り（図４において矢視Ｐ方向）に１回転約２秒の回転動作を開始する。また、センター役物５内の回転振分板４６が右回りに１回転約６秒の回転動作（１回転当り３秒の速度で約３／４回転、１回転当り１５秒の速度で約１／４回転）を開始する。
【００２８】
そして、天下入賞口４３に入球した球が第１特定領域５０である普通図柄表示装置作動ゲート４４を通過すると、図柄作動スイッチ５１が検出信号を識別情報表示制御手段５２へ送信する。識別情報表示制御手段５２は、上記検出信号に基づいて何れかの識別情報を選択し、該識別情報を識別情報表示装置５３（普通図柄表示装置４７）に所定時間変動表示させた後、選択された識別情報を識別情報表示装置５３に停止表示する。即ち、「１」から「８」迄の図柄を表示する。
【００２９】
識別情報表示装置５３に停止表示される識別情報のうち、「当り」に相当する特定識別情報は所定の確率で選択され、この確率は識別情報表示制御手段５２によって予め定めた条件に応じて変動する。識別情報表示装置５３には、停止表示された図柄の種別を判定する表示図柄判定回路５４が接続される。尚、表示図柄判定回路５４には、特定識別情報が格納されたメモリが設けてある。
【００３０】
そして、識別情報表示装置５３に停止表示された識別情報が表示図柄判定回路５４によって特定識別情報（当り）と判定された場合には、特別装置作動領域（特定入賞口１０）を備える普通電動役物１１を普通電動役物制御手段５５を介して開放する。尚、この特定識別情報と判定した判定信号は、後述する確率調節手段５６に入力される。
【００３１】
上記普通電動役物１１は、図示の実施例においては、球１個を特別装置作動領域５５の上部に一時停止可能であって、開放動作を終了した時点で放球する。この放球された球は、特別装置スイッチ５７によって検出され、特別装置５８が作動状態となって権利が発生する。特別装置５８が作動中のときは、特別装置作動表示灯５９を点灯或は点滅させて遊技者にその旨を可視表示する。
【００３２】
確率調節手段５６は、識別情報表示制御手段５２に接続され、特定識別情報が選択される確率を調節する。即ち、表示図柄判定回路５４が判定した識別情報が特定識別情報であり、且つ例えば表示図柄が「５」に相当する判定信号であるとき、確率調節手段５６は識別情報表示制御手段５２に確率制御信号を送信して、特定識別情報が選択される確率を高確率とする。即ち、特別装置５８の作動停止から、その後普通図柄表示装置４７が「当り図柄」（特定識別情報）を停止表示する確率が高確率に変動する。
【００３３】
また、高確率状態のとき、確率調節手段５６は、高確率状態表示灯６０を点灯或は点滅させてその旨を遊技者に可視表示する。
【００３４】
上記のようにして特別装置５８が作動状態にあるとき、即ち権利状態にあるときに、第２特定領域６１を備える始動入賞口４０に入球すると始動口スイッチ６２が作動し、駆動制御手段６３を介して大入賞口ソレノイド４９を駆動して、大入賞口４１である変動入賞装置９を所定時間又は所定数の入賞球があるまで開放する。尚、所定個数は、変動入賞装置９に設けた１０カウントスイッチ６４により計数すると共に、１０カウント表示灯６５により可視表示する。
【００３５】
そこで、上記始動入賞口４０を構成する本発明に係る入賞装置１の回転体２２をモータ制御回路６６を介して制御することにより入賞率を調節すれば、遊技者に極めて有利な特別遊技中であっても、遊技者と遊技店との利益バランスを図ったり、狙い撃ちを防止することができる。
【００３６】
図９ないし図１０は、複数の識別情報を可変表示可能な可変表示装置７０と、
遊技者に不利な第１状態から遊技者に有利な第２状態に変換可能な扉板７１Ａを設けた可変入賞球装置７１と、上記可変表示装置７０を作動する始動入賞口７２とを備えるパチンコ機７３において、上記始動入賞口７２を本発明に係る入賞装置１によって構成した実施例を示すものである。
【００３７】
遊技者が発射した打球が、始動入賞口７２に入球して始動スイッチ７４が作動すると、始動信号が始動記憶装置７５に送出されると共に、図柄用乱数選択装置７６に送出される。この図柄用乱数選択装置７６には、図柄用乱数作成装置７７から図柄用乱数信号が入力される。
【００３８】
図柄表示制御装置７８は、始動記憶装置７５からの始動記憶信号に基づいて可変表示装置７０の変動表示及び停止表示を制御すると共に、図柄判定装置７９に図柄識別信号を送出する。そして、図柄判定装置７９は、図柄識別信号が予め定めた当り図柄に対応するとき（当り）は、大役制御装置８０に大役信号を送出する。また、図柄判定装置７９は、「当り」、「外れ」に拘らず、１回判定する毎に、始動記憶装置７５の記憶値を１減算する始動記憶減算信号を送出する。
【００３９】
大役制御装置８０は、変動入賞装置９に設けた１０カウントスイッチ８１及び開放タイマー８２の各信号に基づいて、可変入賞球装置７１（大入賞口４１）を所定回数または所定時間開放し、可変入賞球装置７１の継続入賞口７１Ｂに設けた継続球検出スイッチ８３の継続信号に基づいて、開放状態を規制の範囲内で継続する。また、この大役制御装置８０は、大入賞口開放表示灯８４によって、可変入賞球装置７１の開放状態を遊技者に可視表示する。
【００４０】
上記のようなパチンコ機７３において始動入賞口７２は、駆動源であるモータ２１を制御することにより入賞率を可変可能な本発明に係る入賞装置１で構成してある。そこで、当該入賞装置１を制御して様々な態様のパチンコ遊技が可能となる。
【００４１】
例えば、モータ２１を制御するためのモータ制御装置８５を、大役制御装置８０からの大当り終了信号▲１▼に基づいて次の大当りになる迄、入賞率が向上するように制御することができる。このような制御によれば、始動スイッチ７４がオンし易くなって可変表示装置７０が良く回るので、結局、可変入賞球装置７１が続けて大当りと成るチャンスが高く、遊技の興趣が著しく向上する。
【００４２】
また、図柄判定装置７９による大当りの特定図柄の成立信号▲２▼に基づいて、入賞率が向上するようにモータ制御装置８５を介してモータ２１を制御すれば、始動入賞口７２の入賞率が向上して、始動スイッチ７４がオンし易くなって可変表示装置７０が良く回る。従って、可変入賞球装置７１が開放する確率が高くなって、遊技の興趣が著しく向上する。
【００４３】
一方、図柄判定装置７９による外れ図柄成立信号▲２▼′に基づいて、入賞率が向上するようにモータ制御装置８５を介してモータ２１を制御すれば、外れた次は、始動入賞装置１の入賞率が向上して、始動スイッチ７４がオンし易くなって可変表示装置７０が良く回り、可変入賞球装置７１が大当りに成るチャンスが巡ってくる。
【００４４】
更に、図柄判定装置７９による外れ図柄成立信号▲３▼を外れ図柄回数カウンタ８６によって計数し、この外れ図柄回数信号に基づいて、入賞率が向上するようにモータ制御装置８５を介してモータ２１を制御すれば、外れが続いた場合に始動入賞口７２の入賞率が向上して、始動スイッチ７４がオンし易くなって可変表示装置７０が良く回り、可変入賞球装置７１が大当りに成るチャンスが高まる。従って、大当りが出現する確率が平均化され、公平な遊技が可能になる。また、継続入賞口７１Ｂに入賞装置１を設けて、継続回数に応じてモータ制御装置８５を作動させてもよい。これにより検出スイッチ３４が継続球検出スイッチ８３に該当し、継続入賞口７１Ｂの入賞確率の制御が容易に変更できる。
【００４５】
尚、前記した始動記憶装置７５における始動入賞記憶値は、始動入賞記憶数表示装置８７によって可視表示するとよい。
【００４６】
図１１ないし図１２は、始動入賞口へ入球した打球を検出して始動入賞信号を発生する始動入賞信号発生手段９０と、遊技者に不利な第１状態と遊技者に有利な第２状態とに変換可能であって、一般入賞口９１と継続入賞口９２とを備える中央可変入賞装置９３等とを備えるパチンコ機において、本発明に係る入賞装置１を始動入賞信号発生手段９０に適用した実施例を示すものである。
【００４７】
始動スイッチ９４である検出スイッチ３４を球が通過すると、始動スイッチ検出回路９５がこの球を検出して始動入賞信号を小当り開閉制御回路９６に送信する。小当り開閉制御回路９６は、中央可変入賞装置９３の可動球受部材９７の駆動源である駆動ソレノイド９８を駆動すると共に、大当り制御回路１０３に信号を送る。これにより可動球受部材９７は１ないし２回の開閉を行う。
【００４８】
上記駆動ソレノイド９８の駆動中に、特別スイッチ１００を有する継続入賞口９２へ球が入球すると、特別スイッチ検出回路１０１がこの球を検出して、特別入賞球信号を継続制御回路１０２に送信する。継続制御回路１０２は、大当り開閉制御回路１０３を介して上記駆動ソレノイド９８を駆動する。これにより、可動球受部材９７は１８回の開閉を繰り返す。そして、大当り開閉制御回路１０３は可動球受部材９７の１８回開閉終了信号を継続制御回路１０２に入力する。これにより、特別スイッチ１００がオンされず、又１０カウントスイッチ１０５で１０ヶの球が検出されずに１８回の開閉を行うとゲ−ムは終了する。また、最終回（１６回目の継続）のゲ−ムでは特別スイッチ１００は無効となり、１０カウント又は１８回開閉のいずれかで終了する。尚、継続制御回路１０２は、継続表示器１０４を駆動して現在何回目の継続遊技を実行中かを当該継続表示器１０４に可視表示する。
【００４９】
また、中央可変入賞装置９３に入球した球が１０カウントスイッチ１０５に作用すると、１０カウントスイッチ検出回路１０６がカウント信号をカウンター１０７に送信し、該カウンター１０７は継続制御回路１０２に１０カウント信号を送信すると共に、１０カウント表示器１０８に入球数を可視表示する。
【００５０】
そして、上記のようなパチンコ機において、始動スイッチ９４が臨む始動入賞口９０は、本発明に係る入賞装置１によって構成してある。従って、この入賞装置１の入賞率を可変して様々な態様のパチンコ遊技が可能となる。
【００５１】
例えば、大当りが終了（１６回継続）したときの、大当り開閉制御回路１０３からの終了信号を継続制御回路１０２に入力し、この継続制御回路１０２の出力に基づいてタイマー回路１０９を作動させる。このタイマー回路１０９によって所定時間、モータ制御回路１１０を介してモータ２１を制御し、遊技者に有利なように入賞率を高めることができる。
【００５２】
このようにすれば、大当りが終了した後に、再び大当りを生起させることが可能になり、パチンコ遊技の興趣が著しく向上する。
【００５３】
また、遊技者が操作するハンドルにハンドル制御回路１１１を設け、該ハンドル制御回路１１１と始動入賞カウンタ１１２との間にタイマー回路１１３を介在させる。また、前記した始動スイッチ検出回路９５の検出出力を始動入賞カウンタ１１２に入力する。そして、ハンドルを操作して所定時間が経過する間（例えば３分以内）に始動入賞カウンタ１１２が所定数以下或は入賞が全く無い場合に、所定時間の間、入賞し易い状態に回転体２２を回転制御することができる。
【００５４】
このような実施例によれば、なかなか始動入賞口である入賞装置１へ入賞できなくても、所定時間が経過すると、入賞率が高くなるので、遊技技術が未熟な初心者等であっても、適宜遊技を楽しむことができ、公平な遊技が可能になる。また、継続入賞口９２に入賞装置１を設けて、継続回数や可動球受部材９７の開閉回数に応じてモータ制御回路１１０を制御するようにしてもよい。これにより、特別スイッチ１００が検出スイッチ３４に該当し、継続入賞口９２への入賞確率の制御が容易に変更できる。
【００５５】
以上本発明を図面の実施例について説明したが、本発明は上記した実施例に限定されるものではなく、特許請求の範囲に記載した構成を変更しない限り適宜に実施できる。例えば、回転体や球受凹部はどのような構造であってもよい。
【００５６】
【発明の効果】
以上要するに本発明は、遊技盤に取り付けるための取付板と、上記取付板に回転自在に軸着されると共に、球を１個宛に受入可能な第１球受凹部及び球を１個宛に受入可能な第２球受凹部を有する回転体と、上記回転体を制御手段の制御下に回転駆動する駆動源と、上記回転体の周囲に設けた囲繞壁と、上記回転体の各球受凹部へ遊技盤を流下する球を取り込むための上記囲繞壁に開設した球の直径よりも若干幅広な１つの球入口と、上記回転体の第２球受凹部に取り込んだ球を遊技盤へ排出する上記囲繞壁に開設した１つの球出口と、上記取付板に開設され上記回転体の第１球受凹部に取り込んだ球を検出スイッチが臨む球連絡路へ排出する入賞球口と、を少なくとも備え、上記第１球受凹部と第２球受凹部とは上記回転体の側周部に互いに近接して開設してあり、上記入賞球口は上記取付板において上記囲繞壁に開設した球入口と球出口との間に開設され、制御手段によって回転体の回転方向を正逆に変更して入賞球口へ入球する球の入賞率を可変させるようにしたので、構成が簡単で小型な入賞装置を提供すると共に、入賞口の形態を変化させることなく、種々の態様で入賞率を可変することができ、多種多様な遊技が可能になる。しかも、遊技の興趣が著しく高いと共に、遊技者と遊技店との利益バランスを図ることも容易であって、実用的価値が極めて高い。
【図面の簡単な説明】
【図１】本発明に係る入賞装置を配設した遊技盤の正面図である。
【図２】本発明に係る入賞装置の正面図である。
【図３】本発明に係る入賞装置の縦断面図である。
【図４】入賞装置の回転体の状態を示す説明図である。
【図５】入賞装置の回転体の状態を示す説明図である。
【図６】回転体の制御系の一例を示すフローチャートである。
【図７】回転体の制御系の他の例を示すフローチャートである。
【図８】パチンコ遊技の一例を示すブロック図である。
【図９】入賞装置を配設したパチンコ機の正面図である。
【図１０】パチンコ遊技の一例を示すブロック図である。
【図１１】入賞装置を配設した遊技盤の正面図である。
【図１２】パチンコ遊技の一例を示すブロック図である。
【符号の説明】
１  入賞装置
２  遊技盤
２０  取付板
２１  モータ
２２  回転体
２３  第１球受凹部
２４  第２球受凹部
２６  球入口
２７  球出口
３０  入賞球口
３３  球連絡路
３４  検出スイッチ
【図１】
0003945831.tif 000002
【図２】
0003945831.tif 000003
【図３】
0003945831.tif 000004
【図４】
0003945831.tif 000005
【図５】
0003945831.tif 000006
【図６】
0003945831.tif 000007
【図７】
0003945831.tif 000008
【図８】
0003945831.tif 000009
【図９】
0003945831.tif 000010
【図１０】
0003945831.tif 000011
【図１１】
0003945831.tif 000012
【図１２】
0003945831.tif 000013